【事件の表示】
　特願２０１４−８９４６２号「遊技機」拒絶査定不服審判事件〔平成２７年１１月２４日出願公開、特開２０１５−２０８３４６号〕について、次のとおり審決する。
【結　論】
　本件審判の請求は、成り立たない。
【理　由】
第１　手続の経緯
　本願は、平成２６年４月２３日に出願されたものであって、平成２７年７月２日付けで拒絶理由通知がなされ、これに対し平成２７年８月２４日付けで手続補正がなされたが平成２８年２月４日付けで拒絶査定がなされ、これに対して、平成２８年４月２８日付けで拒絶査定不服審判の請求がなされるとともに手続補正（以下、「本件補正」という。）がなされたものである。
第２　本件補正についての補正却下の決定 
［補正却下の決定の結論］ 
　本件補正を却下する。 
［理由］
１　本件補正の概要 
　本件補正は、特許請求の範囲を補正するものであり、本件補正により、特許請求の範囲の請求項１は、 
（補正前：平成２７年８月２４日付け手続補正） 
「【請求項１】
　始動条件の成立により、遊技情報を取得する取得手段と、
　前記取得手段により取得された遊技情報に基づいて、特別遊技を行うか否かを判定する特別遊技判定手段と、
　前記特別遊技判定手段により前記特別遊技を行うと判定された場合、当該特別遊技を実行する特別遊技制御手段と、
　演出表示手段に装飾図柄を変動表示させてから停止表示させることにより前記特別遊技判定手段による判定結果を報知する変動演出を実行する変動演出制御手段と、
　前記取得手段により取得された前記遊技情報に基づいて、前記特別遊技制御手段により前記特別遊技が実行される可能性を示唆する予告表示を前記演出表示手段に表示する予告表示制御手段とを備え、
　前記予告表示制御手段は、前記特別遊技が実行される可能性に対応した複数の表示態様の何れかで前記予告表示を表示し、
　前記変動演出制御手段は、
　　前記取得手段により取得された前記遊技情報に基づいて、前記予告表示の複数の表示態様のうちの１つを選択する表示態様選択手段と、
　　前記表示態様選択手段により選択された表示態様に装飾図柄を変化させる表示態様変化手段とを有し、
　　前記変動演出において前記装飾図柄の表示態様を前記表示態様変化手段により変化させることにより、前記特別遊技制御手段により前記特別遊技が実行される可能性を示唆する、遊技機。」
から、 
（補正後：本件補正である平成２８年４月２８日付け手続補正） 
「【請求項１】
　始動条件の成立により、遊技情報を取得する取得手段と、
　前記取得手段により取得された遊技情報に基づいて、特別遊技を行うか否かを判定する特別遊技判定手段と、
　前記特別遊技判定手段により前記特別遊技を行うと判定された場合、当該特別遊技を実行する特別遊技制御手段と、
　演出表示手段に装飾図柄を変動表示させてから停止表示させることにより前記特別遊技判定手段による判定結果を報知する変動演出を実行する変動演出制御手段と、
　前記取得手段により取得された前記遊技情報に基づいて、前記特別遊技制御手段により前記特別遊技が実行される可能性を示唆する予告表示
の表示態様を前記特別遊技が実行される可能性に対応した複数の表示態様のうちの１つを選択する第１表示態様選択手段と、
　
前記第１表示態様選択手段により選択された表示態様で前記予告表示
、
　
前
　　前記取得手段により取得された前記遊技情報に基づいて、前記予告表示の複数の表示態様のうちの１つを選択する
第２
　　前記
第２
　　前記変動演出において前記装飾図柄の表示態様を前記表示態様変化手段により変化させることにより、前記特別遊技制御手段により前記特別遊技が実行される可能性を示唆
し、
　
前記第１表示態様選択手段と、前記第２表示態様選択手段とは、互いに独立してそれぞれ前記予告表示の複数の表示態様のうちの１つを選択
に補正された（下線は、補正箇所を明示するために審決にて付した。）。 
　したがって、本件補正は、特許請求の範囲の請求項１について、
　上記補正前の「予告表示を前記演出表示手段に表示する予告表示制御手段」を、上記補正後の「予告表示
の表示態様を前記特別遊技が実行される可能性に対応した複数の表示態様のうちの１つを選択する第１表示態様選択手段と、前記第１表示態様選択手段により選択された表示態様で前記予告表示
　上記補正前の「前記予告表示の複数の表示態様のうちの１つを選択する表示態様選択手段と、前記表示態様選択手段により選択された表示態様に装飾図柄を変化させる表示態様変化手段」を、「前記予告表示の複数の表示態様のうちの１つを選択する
第２
第２
　上記補正後の「第１表示態様選択手段」及び「第２表示態様選択手段」について、「
前記第１表示態様選択手段と、前記第２表示態様選択手段とは、互いに独立してそれぞれ前記予告表示の複数の表示態様のうちの１つを選択
　を含んでいる。
２　補正の適否
（１）補正事項１について
　本件補正の補正事項１は、請求項１に記載した発明を特定するために必要な事項である「予告表示制御手段」について、補正前の「予告表示」を「表示」する点を、補正後の「
予告表示の表示態様を前記特別遊技が実行される可能性に対応した複数の表示態様のうちの１つを選択する第１表示態様選択手段
選択された表示態様で
　また、特許法第１７条の２第３項に違反するところはない。
（２）補正事項２について
　本件補正の補正事項２は、請求項１に記載した発明を特定するために必要な事項である「変動演出制御手段」について、補正前の「表示態様変化手段」が「予告表示の複数の表示態様のうちの１つを選択」し「選択された表示態様に装飾図柄を変化させる」点を、補正後の「
第２
　また、特許法第１７条の２第３項に違反するところはない。
（３）補正事項３について
　本件補正の補正事項３は、請求項１に記載した発明を特定するために必要な事項である「予告表示制御手段」及び「変動演出制御手段」について、補正前の各手段において「表示」する又は「変化」させる「表示態様」を、補正後の各手段が有する「
前記第１表示態様選択手段と、前記第２表示態様選択手段
互いに独立してそれぞれ前記予告表示の複数の表示態様のうちの１つを選択する
　また、特許法第１７条の２第３項に違反するところはない。
（４）独立特許要件について
　そこで、本件補正後の前記請求項１に記載された発明（以下、「本願補正発明」という。）が特許法第１７条の２第６項において準用する同法第１２６条第７項の規定に適合するか（特許出願の際独立して特許を受けることができるものであるか）について以下に検討する。
ア　本願補正発明 
　本願補正発明は、上記１の本件補正の概要において示した次のとおりのものである（Ａ〜Ｈは本願補正発明を分説するため当審で付与した。）。 
「【請求項１】
Ａ　始動条件の成立により、遊技情報を取得する取得手段と、
Ｂ　前記取得手段により取得された遊技情報に基づいて、特別遊技を行うか否かを判定する特別遊技判定手段と、
Ｃ　前記特別遊技判定手段により前記特別遊技を行うと判定された場合、当該特別遊技を実行する特別遊技制御手段と、
Ｄ　演出表示手段に装飾図柄を変動表示させてから停止表示させることにより前記特別遊技判定手段による判定結果を報知する変動演出を実行する変動演出制御手段と、
Ｅ　前記取得手段により取得された前記遊技情報に基づいて、前記特別遊技制御手段により前記特別遊技が実行される可能性を示唆する予告表示の表示態様を前記特別遊技が実行される可能性に対応した複数の表示態様のうちの１つを選択する第１表示態様選択手段と、
Ｆ　前記第１表示態様選択手段により選択された表示態様で前記予告表示を前記演出表示手段に表示する予告表示制御手段とを備え、
Ｇ　前記変動演出制御手段は、
Ｇ１　前記取得手段により取得された前記遊技情報に基づいて、前記予告表示の複数の表示態様のうちの１つを選択する第２表示態様選択手段と、
Ｇ２　前記第２表示態様選択手段により選択された表示態様に装飾図柄を変化させる表示態様変化手段とを有し、
Ｇ３　前記変動演出において前記装飾図柄の表示態様を前記表示態様変化手段により変化させることにより、前記特別遊技制御手段により前記特別遊技が実行される可能性を示唆し、
Ｈ　前記第１表示態様選択手段と、前記第２表示態様選択手段とは、互いに独立してそれぞれ前記予告表示の複数の表示態様のうちの１つを選択する、遊技機。」
イ　刊行物１に記載された事項 
　原査定の拒絶の理由に引用された特開２０１２−２３９７３４号公報（以下、「刊行物１」という。）には、次の事項が記載されている（下線は審決で付した。）。
（ア）　「【００４９】
　・・・
始動入賞球の検出時に
大当り乱数値
変動パターン乱数値
抽出
遊技制御装置１００
【００５０】
　・・・
【００５１】
　
表示装置４１における飾り特図変動表示ゲーム
飾り特別図柄
の
変動表示を開始し
所定時間後に変動している図柄を順次停止させて、特図変動表示ゲームの結果を表示する
（イ）　「【００６４】
　また、ＲＯＭ１１１Ｂは、例えば、特図変動表示ゲームの実行時間、演出内容、リーチ状態の発生の有無などを規定する変動パターン（変動態様）を決定するための変動パターンテーブルを記憶している。
　変動パターンテーブルとは、始動記憶として記憶されている
変動パターン乱数
を
参照して変動パターンを決定する
（ウ）　「【００９５】
　・・・
遊技制御装置１００
【００９６】
　また、
始動入賞口３６に備えられた始動口１スイッチ３６ａからの遊技球の検出信号の入力に基づき
大当り
乱数値を抽出し
判定値と比較し
当りはずれを判定する
【００９７】
　・・・また、
演出制御装置３００
飾り特図変動表示ゲームを表示する
【００９８】
　そして、
遊技制御装置１００
特図変動表示ゲームの結果が当りの場合
特別遊技状態を発生させる
（エ）　「【０１５２】
　次に、上記
演出制御装置３００の主制御用マイコン３１１
（オ）　「【０１６４】
　ここで、事前演出振分けテーブルおよびこのテーブルに基づいてその内容が決定される
事前演出（予告報知）
保留図柄の表示態様
特図変動表示ゲームにおける大当り発生の期待度
を
報知する
主制御用マイコン３１１は
保留図柄をどの表示態様で表示するかを決定
【０１６５】
　図１５には、保留図柄の表示態様について示した。表示装置４１に表示される
保留図柄の表示態様
事前演出を行っていることを示す事前演出態様
事前演出態様には、期待度の低いほうから順に、「２Ｄ１（平面の黄色い丸）」、「２Ｄ２（平面の赤丸）」、「３Ｄ１（立体の小さい丸）」、「３Ｄ２（立体の大きい丸）」の４種類
（カ）　「【０１８７】
　・・・この
３Ｄ演出
飾り特図変動表示ゲームにおいて
特別図柄
を立体表示
（キ）　「【０１８８】
〔３Ｄ演出設定処理〕
　図２１には、前述の変動中処理における３Ｄ演出設定処理（ステップＢ９５）のフローチャートを示した。この３Ｄ演出設定処理では、まず、設定された
変動パターン
３Ｄ演出となるパターンが設定されているか否か、すなわち、対応する特図変動表示ゲームの変動パターン（リーチ系統）が「スペシャル３リーチ」または「スペシャルリーチ４」であるか否かを判定する
３Ｄ演出となる変動パターンが設定されている場合
３Ｄ演出パターンの選択抽選
を行い、選択された３Ｄ演出パターンを設定
【０１８９】
　ステップＢ２０２にて設定されたのは３Ｄ演出ではないと判定された場合（ステップＢ２０２；Ｎｏ）は、
２Ｄ演出パターンの選択抽選
を行い、選択された２Ｄ演出を設定
【０１９０】
　この処理により、設定された
変動パターンが「スペシャル３リーチ」または「スペシャルリーチ４」を発生させるものであれば、対応する特図変動表示ゲームが３Ｄ演出（立体画像演出）で行われ、
「リーチなし」、「ノーマルリーチ」、「スペシャル１リーチ」、「スペシャル２リーチ」であれば、対応する特図変動表示ゲームが２Ｄ演出（平面画像演出）で行われる
　従って、
演出制御装置３００
特図変動表示ゲーム
の演出
選択し実行する変動表示ゲーム表示手段として機能
（ク）　「【０２１３】
　このように、３Ｄ演出の実行前から新たに発生した始動記憶に対応する保留図柄を特別保留表示領域４１ｃに表示させることにより、この後実行される特図変動表示ゲームが
期待度の高い３Ｄ演出
（ケ）　上記（エ）に「主制御用マイコン３１１」は「演出制御装置３００」に備えられることが記載されており、また、上記（オ）に、「主制御用マイコン３１１は・・・保留図柄をどの表示態様で表示するかを決定する」、「事前演出態様には、期待度の低いほうから順に、「２Ｄ１（平面の黄色い丸）」、「２Ｄ２（平面の赤丸）」、「３Ｄ１（立体の小さい丸）」、「３Ｄ２（立体の大きい丸）」の４種類がある」と記載され、事前演出態様は、期待度が相対的に低い２Ｄ（平面）に関するものと、期待度が相対的に高い３Ｄ（立体）に関するものとに大別することができるから、刊行物１には、
事前演出態様における保留図柄の表示態様として、期待度が「３Ｄ」（立体）よりも低い「２Ｄ」（平面）の表示態様と、期待度が「２Ｄ」（平面）より高い「３Ｄ」（立体）の表示態様のうちのどの表示態様で表示するかを決定する演出制御装置３００
　以上（ア）〜（ケ）の記載事項及び認定事項を総合すると、刊行物１には、次の発明が記載されていると認められる（以下、「引用発明」という。）（ａ〜ｇ３は引用発明を分説するため当審で付与した。）。 
「ａ　始動入賞球の検出時に大当り乱数値及び変動パターン乱数値を抽出する遊技制御装置１００と、
ｂ　大当り乱数値と判定値を比較し、特図変動表示ゲームの当りはずれを判定する遊技制御装置１００と、
ｃ　特図変動表示ゲームの結果が当りの場合は、特別遊技状態を発生させる遊技制御装置１００と、
ｄ　表示装置４１において、飾り特別図柄の変動表示を開始して、所定時間後に変動している図柄を順次停止させて、特図変動表示ゲームの結果を表示する処理を行う演出制御装置３００と、
ｅ　大当り発生の期待度を報知する事前演出（予告報知）を行っていることを示す事前演出態様における保留図柄の表示態様として、期待度が「３Ｄ」（立体）よりも低い「２Ｄ」（平面）の表示態様と、期待度が「２Ｄ」（平面）より高い「３Ｄ」（立体）の表示態様のうちのどの表示態様で表示するかを決定する演出制御装置３００と、
ｆ　決定された表示態様で保留図柄を表示装置４１に表示する演出制御装置３００と、を備え、
ｇ　演出制御装置３００は、
ｇ１〜３　変動パターン乱数を参照して決定された変動パターンが「スペシャル３リーチ」または「スペシャルリーチ４」を発生させるものであれば、対応する飾り特図変動表示ゲームが３Ｄ演出（立体画像演出）で行われ、「リーチなし」、「ノーマルリーチ」、「スペシャル１リーチ」、「スペシャル２リーチ」であれば、対応する飾り特図変動表示ゲームが２Ｄ演出（平面画像演出）で行われるように飾り特図変動表示ゲームの演出を選択し実行する変動表示ゲーム表示手段を有する、遊技機。」
ウ　刊行物２に記載された事項
　当審で新たに引用する特開２０１３−３４６３２号公報（以下、「刊行物２」という。）には、次の事項が記載されている（下線は審決で付した。）。
（ア）　「【０１８２】
　次いで、受信した始動口入賞演出図柄コマンドから当該始動記憶の図柄情報（すなわち、
表示装置４１に表示する保留図柄
　ステップＢ１０７で、「はずれ」であると判定した場合（ステップＢ１０７；Ｙｅｓ）には、
事前演出振分テーブル１（図２１（ａ）参照）をセット
　一方、ステップＢ１０７で、「はずれ」でないと判定した場合（ステップＢ１０７；Ｎｏ）、すなわち、当該始動記憶の結果が「当り」である場合には、
事前演出振分テーブル２（図２１（ｂ）参照）をセット
【０１８３】
　次いで、受信した始動口入賞演出コマンドから当該始動記憶のリーチの系統情報を取得し（ステップＢ１１０）、ステップＢ１０８またはステップＢ１０９で
セットした事前演出振分テーブル
から、事前演出態様
３Ｄ表示するか否か
を選択する
（イ）　「【０１８６】
　・・・保留図柄の色が同じである場合、保留図柄が平面表示される場合と立体表示される場合とで期待度が異なることとする。具体的には、本実施形態の場合、
保留図柄が平面表示（２Ｄ表示）される場合よりも、立体表示（３Ｄ表示）される場合の方が、期待度が高い
（ウ）　「【０１８９】
　・・・
飾り特図変動表示ゲームの実行態様
【０１９０】
　ステップＢ１２５で、当該飾り特図変動表示ゲームに対応する特図変動表示ゲームの結果は「当り」でないと判定した場合（ステップＢ１２５；Ｎｏ）には、
３Ｄ演出パターン選択テーブル１（図２３（ａ）参照）を設定して
設定した３Ｄ演出パターン選択テーブル１に基づき３Ｄ演出パターンを選択して設定
　一方、ステップＢ１２５で、当該飾り特図変動表示ゲームに対応する特図変動表示ゲームの結果は「当り」であると判定した場合（ステップＢ１２５；Ｙｅｓ）には、
３Ｄ演出パターン選択テーブル２（図２３（ｂ）参照）を設定して
３Ｄ演出パターン選択テーブル２に基づき３Ｄ演出パターンを選択して設定
（エ）　「【０１９４】
　ここで、ステップＢ１２６で設定される３Ｄ演出パターン選択テーブル１と、ステップＢ１２８で設定される３Ｄ演出パターン選択テーブル２とについて、図２３を参照して説明する。
　
３Ｄ演出（立体画像演出）とは
画像を立体表示する演出
　具体的には、演出制御装置３００は、表示装置４１に表示される画像のうち少なくとも一部の画像を立体表示することによって、或いは、表示装置４１に表示される画像のうち少なくとも一部の画像を立体表示するとともに可動役物（第１役物Ａ４０ｄ１１、第１役物Ｂ４０ｄ１２、第１役物Ｃ４０ｄ１３または第２役物４０ｄ２）を作動させることによって、３Ｄ演出を実行する。
【０１９５】
　本実施形態の場合、３Ｄ演出パターンとして、期待度が低いものから順に、「３Ｄ演出パターン１」と「３Ｄ演出パターン２」と「３Ｄ演出パターン３」と「３Ｄ演出パターン４」と「３Ｄ演出パターン５」と「３Ｄ演出パターン６」と「３Ｄ演出パターン７」と「３Ｄ演出パターン８」と「３Ｄ演出パターン９」とがある。
　３Ｄ演出パターンとして
「３Ｄ演出パターン１」が
設定された場合
３Ｄ演出
行われない
（オ）　「【０２２３】
　・・・３Ｄ演出パターンとして
「３Ｄ演出パターン３」が設定された場合
　そして、第１役物Ａ４０ｄ１１が作動したので、所定の予告演出を実行することによって、変動中の特図変動表示ゲームにおける期待度を報知する。図２９の場合、所定の予告演出として識別情報（
飾り特別図柄
を立体表示する演出を実行する
【０２２４】
　・・・３Ｄ演出パターンとして
「３Ｄ演出パターン９」が設定された場合
  そして、第２役物４０ｄ２が作動したので、所定の予告演出（図２９の場合、識別情報（
飾り特別図柄
を立体表示する演出
を実行する
（カ）　上記（エ）、（オ）より、刊行物２には、「３Ｄ演出パターン１」が設定された場合は３Ｄ演出は行われず、「３Ｄ演出パターン３」又は「３Ｄ演出パターン９」が設定された場合は飾り特別図柄を立体表示する３Ｄ演出が行われることが記載されているし、当該３Ｄ演出が行われない場合に飾り特別図柄が立体表示されない（平面表示される）ことも自明である。
　したがって、刊行物２には、
飾り特図変動表示ゲームの表示態様の選択を３Ｄ演出パターン選択テーブルに基づいて行
　以上（ア）〜（カ）の記載事項及び認定事項より、刊行物２には、次の事項が記載されている。 
「保留図柄の表示態様の選択を事前演出振り分けテーブルに基づいて行い、飾り特図変動表示ゲームの表示態様の選択を３Ｄ演出パターン選択テーブルに基づいて行う遊技機。」
エ　対比
　本願補正発明と引用発明とを対比する。対比の見出しとしての（ａ）〜（ｇ３）は引用発明の分説構成と対応させた。 
（ａ）　引用発明の「始動入賞球」を「検出」すること、「大当り乱数値及び変動パターン乱数値」を「抽出する」ことは、それぞれ、本願補正発明の「始動条件」が「成立」すること、「遊技情報」を「取得する」ことに相当する。また、引用発明の「遊技制御装置１００」は、本願補正発明の「取得手段」の機能を備える。 
　したがって、引用発明の「ａ　始動入賞球の検出時に大当り乱数値や変動パターン乱数値を抽出する遊技制御装置１００」は、本願補正発明の「Ａ　始動条件の成立により、遊技情報を取得する取得手段」に相当する。 
（ｂ）　引用発明の「大当り乱数値」は、上記（ａ）より、本願補正発明の「前記取得手段により取得された遊技情報」に相当するから、引用発明において「前記大当り乱数値と判定値を比較」することは、「前記取得手段により取得された遊技情報に基づいて」いるといえる。
　引用発明は「ｃ　特図変動表示ゲームの結果が当りの場合は、特別遊技状態を発生させる」ものであるから、引用発明の「特図変動表示ゲームの当りはずれを判定する」ことは、本願補正発明の「特別遊技を行うか否かを判定する」ことに相当するといえるといえる。
　また、引用発明の「遊技制御装置１００」は、本願補正発明の「特別遊技判定手段」の機能を備える。
　したがって、引用発明の「ｂ　大当り乱数値と判定値を比較し、特図変動表示ゲームの当りはずれを判定する遊技制御装置１００」は、本願補正発明の「Ｂ　前記取得手段により取得された遊技情報に基づいて、特別遊技を行うか否かを判定する特別遊技判定手段」に相当する。
（ｃ）　引用発明の「特図変動表示ゲームの結果が当りの場合」、「特別遊技状態を発生させる」ことは、それぞれ、本願補正発明の「前記特別遊技判定手段により前記特別遊技を行うと判定された場合」、「特別遊技を実行する」ことに相当する。また、引用発明の「遊技制御装置１００」は、本願補正発明の「特別遊技制御手段」の機能を備える。 
　したがって、引用発明の「ｃ　特図変動表示ゲームの結果が当りの場合は、特別遊技状態を発生させる遊技制御装置１００」は、本願補正発明の「Ｃ　前記特別遊技判定手段により前記特別遊技を行うと判定された場合、当該特別遊技を実行する特別遊技制御手段」に相当する。 
（ｄ）　引用発明の「表示装置４１」、「飾り特別図柄」、「変動表示を開始」してから「変動している図柄を順次停止」させること、「特図変動表示ゲームの結果を表示する処理を行う」ことは、それぞれ、本願補正発明の「演出表示手段」、「装飾図柄」、「変動表示させてから停止表示させること」、「前記特別遊技判定手段による判定結果を報知する変動演出を実行する」ことに相当する。また、引用発明の「演出制御装置３００」は、本願補正発明の「変動演出制御手段」の機能を備える。 
　したがって、引用発明の「ｄ　表示装置４１において、飾り特別図柄の変動表示を開始して、所定時間後に変動している図柄を順次停止させて、特図変動表示ゲームの結果を表示する処理を行う演出制御装置３００」は、本願補正発明の「Ｄ　演出表示手段に装飾図柄を変動表示させてから停止表示させることにより前記特別遊技判定手段による判定結果を報知する変動演出を実行する変動演出制御手段」に相当する。 
（ｅ）　引用発明の「大当り発生」は、「大当りとなって特別遊技状態（いわゆる、大当り状態）となる」（刊行物１【００５０】）ことであって、本願補正発明の「前記取得手段により取得された前記遊技情報に基づいて、前記特別遊技制御手段により前記特別遊技が実行される」ことに相当する。また、引用発明は、当該大当り発生の「期待度」を「報知」することで、遊技者に対して当該特別遊技になる可能性がどの程度であるかを示していることは明らかであって、当該「期待度」を「報知」することは、本願補正発明の「特別遊技が実行される可能性を示唆する」ことに相当する。
　引用発明の「事前演出（予告報知）を行っていることを示す事前演出態様における保留図柄」、当該事前演出態様における保留図柄の「表示態様」、「期待度が「３Ｄ」（立体）よりも低い「２Ｄ」（平面）の表示態様と、期待度が「２Ｄ」（平面）より高い「３Ｄ」（立体）の表示態様」は、それぞれ、本願補正発明の「予告表示」、当該予告表示の「表示態様」、「特別遊技が実行される可能性に対応した複数の表示態様」に相当する。また、引用発明の「演出制御装置３００」は、本願補正発明の「第１表示態様選択手段」の機能を備える。
　さらに、引用発明において「どの表示態様で表示するか」を「決定」することは、「２Ｄ」（平面）又は「３Ｄ」（立体）の表示態様のうちのどちらか１つを選んで決めることであるといえるから、本願補正発明の「複数の表示態様のうちの１つ」を「選択」ことを含んでいるといえる。
　したがって、引用発明の「ｅ　大当り発生の期待度を報知する事前演出（予告報知）を行っていることを示す事前演出態様における保留図柄の表示態様として、期待度が「３Ｄ」（立体）よりも低い「２Ｄ」（平面）の表示態様と、期待度が「２Ｄ」（平面）より高い「３Ｄ」（立体）の表示態様のうちのどの表示態様で表示するかを決定する演出制御装置３００」は、本願補正発明の「Ｅ　前記取得手段により取得された前記遊技情報に基づいて、前記特別遊技制御手段により前記特別遊技が実行される可能性を示唆する予告表示の表示態様を前記特別遊技が実行される可能性に対応した複数の表示態様のうちの１つを選択する第１表示態様選択手段」に相当する。 
（ｆ）　引用発明の「決定された表示態様」、「保留図柄」は、それぞれ、本願補正発明の「前記第１表示態様選択手段により選択された表示態様」、「前記予告表示」に相当する。また、引用発明の「演出制御装置３００」は、本願補正発明の「予告表示制御手段」の機能を備える。
　したがって、引用発明の「ｆ　決定された表示態様で保留図柄を表示装置４１に表示する演出制御装置３００」は、本願補正発明の「Ｆ　前記第１表示態様選択手段により選択された表示態様で前記予告表示を前記演出表示手段に表示する予告表示制御手段」に相当する。 
（ｇ１）　上記（ａ）に示したとおり、引用発明の「変動パターン乱数」は、本願補正発明の「前記取得手段により取得された前記遊技情報」に含まれるから、当該「変動パターン乱数」を参照して決定される、引用発明の「変動パターン」は、本願補正発明の「前記取得手段により取得された前記遊技情報」に「基づいて」いるといえる。したがって、引用発明において「変動パターン」に基づいて「選択」を行うことは、本願補正発明の「前記取得手段により取得された前記遊技情報に基づいて」選択を行うことに相当するといえる。
　また、引用発明における「３Ｄ演出」は、上記「イ　（カ）」に示したとおり「特別図柄等を立体表示する演出である」から、引用発明において「飾り特図変動表示ゲームが３Ｄ演出（立体画像演出）で行われ」る際には、飾り特別図柄の表示態様が３Ｄ（立体）になる。また、他方で、「３Ｄ演出」ではない「２Ｄ演出」の際には、飾り特別図柄の表示態様が３Ｄ（立体）ではなく２Ｄ（平面）になることも自明である。したがって、引用発明は、飾り特図変動表示ゲームの演出を、「３Ｄ演出」で行うか、「２Ｄ演出」で行うかを「選択」することで、飾り特図変動表示ゲームにおける飾り特別図柄の表示態様を３Ｄ（立体）とするか、２Ｄ（平面）とするかを選択しているといえる。
　そして、引用発明における当該３Ｄ（立体）と２Ｄ（平面）の表示態様は、「事前演出態様における保留図柄の表示態様」であって、上記（ｅ）に示したとおり、本願補正発明の「前記予告表示の複数の表示態様」に相当し、引用発明において当該３Ｄ（立体）と２Ｄ（平面）の表示態様のうちのどちらかを選択することは、本願補正発明の「前記予告表示の複数の表示態様のうちの１つを選択する」ことに相当するといえる。
　したがって、引用発明の「ｇ１〜３　変動パターンが「スペシャル３リーチ」または「スペシャルリーチ４」を発生させるものであれば、対応する飾り特図変動表示ゲームが３Ｄ演出（立体画像演出）で行われ、「リーチなし」、「ノーマルリーチ」、「スペシャル１リーチ」、「スペシャル２リーチ」であれば、対応する飾り特図変動表示ゲームが２Ｄ演出（平面画像演出）で行われるように飾り特図変動表示ゲームの演出を選択」する「変動表示ゲーム表示手段」は、本願補正発明の「Ｇ１　前記取得手段により取得された前記遊技情報に基づいて、前記予告表示の複数の表示態様のうちの１つを選択する第２表示態様選択手段」に相当する。
（ｇ２）　引用発明において「飾り特図変動表示ゲームの演出を選択し実行」する際の当該「選択」は、上記（ｇ１）に示したとおり、飾り特図変動表示ゲームにおける飾り特別図柄の表示態様を３Ｄ（立体）とするか、２Ｄ（平面）とするかの選択であって、当該「実行」する演出では、３Ｄ（立体）又は２Ｄ（平面）の表示態様の演出パターンに飾り特別図柄を変化させていることは明らかである。
　したがって、引用発明の「飾り特図変動表示ゲームの演出」を「実行」する「変動表示ゲーム表示手段」は、本願補正発明の「Ｇ２　前記第２表示態様選択手段により選択された表示態様に装飾図柄を変化させる表示態様変化手段」に相当する。
（ｇ３）　引用発明における「３Ｄ演出」は、上記「イ　（ク）」に示したとおり「期待度の高い」演出であって、当該演出の内容として、３Ｄ（立体）又は２Ｄ（平面）の表示態様に飾り特別図柄を変化させることが当該「期待度」の報知になることは明らかであるから、引用発明は「飾り特図変動表示ゲームの演出を選択し実行する」ことで、本願補正発明の「前記特別遊技制御手段により前記特別遊技が実行される可能性を示唆」しているといえる。
　したがって、引用発明の「飾り特図変動表示ゲームの演出を選択し実行する」ことは、本願補正発明の「Ｇ３　前記変動演出において前記装飾図柄の表示態様を前記表示態様変化手段により変化させることにより、前記特別遊技制御手段により前記特別遊技が実行される可能性を示唆」することに相当する。
（ｇ）　上記（ｇ１）〜（ｇ３）より、引用発明の「演出制御装置３００」は、本願補正発明の「Ｇ　前記変動演出制御手段」の機能を備える。
　以上（ａ）〜（ｇ）の検討より、本願補正発明と引用発明とは、 
「Ａ　始動条件の成立により、遊技情報を取得する取得手段と、
Ｂ　前記取得手段により取得された遊技情報に基づいて、特別遊技を行うか否かを判定する特別遊技判定手段と、
Ｃ　前記特別遊技判定手段により前記特別遊技を行うと判定された場合、当該特別遊技を実行する特別遊技制御手段と、
Ｄ　演出表示手段に装飾図柄を変動表示させてから停止表示させることにより前記特別遊技判定手段による判定結果を報知する変動演出を実行する変動演出制御手段と、
Ｅ　前記取得手段により取得された前記遊技情報に基づいて、前記特別遊技制御手段により前記特別遊技が実行される可能性を示唆する予告表示の表示態様を前記特別遊技が実行される可能性に対応した複数の表示態様のうちの１つを選択する第１表示態様選択手段と、
Ｆ　前記第１表示態様選択手段により選択された表示態様で前記予告表示を前記演出表示手段に表示する予告表示制御手段とを備え、
Ｇ　前記変動演出制御手段は、
Ｇ１　前記取得手段により取得された前記遊技情報に基づいて、前記予告表示の複数の表示態様のうちの１つを選択する第２表示態様選択手段と、
Ｇ２　前記第２表示態様選択手段により選択された表示態様に装飾図柄を変化させる表示態様変化手段とを有し、
Ｇ３　前記変動演出において前記装飾図柄の表示態様を前記表示態様変化手段により変化させることにより、前記特別遊技制御手段により前記特別遊技が実行される可能性を示唆」する点で一致し、以下の点で相違する。 
［相違点］：本願補正発明では、「前記第１表示態様選択手段と、前記第２表示態様選択手段とは、互いに独立してそれぞれ前記予告表示の複数の表示態様のうちの１つを選択する」のに対し、引用発明では、本願補正発明の「第１表示態様選択手段」及び「第２表示態様選択手段」に対応する構成を有するが、各手段が「互いに独立してそれぞれ前記予告表示の複数の表示態様のうちの１つを選択する」という特定がない点。（Ｈ）
オ　判断
　上記相違点について検討する。 
　上記ウに示したとおり、刊行物２には「保留図柄の表示態様の選択を事前演出振り分けテーブルに基づいて行い、飾り特図変動表示ゲームの表示態様の選択を３Ｄ演出パターン選択テーブルに基づいて行う」ことが記載されている。ここで、刊行物２における当該「事前演出振り分けテーブル」と「３Ｄパターン選択テーブル」は、当該各テーブルを図示する刊行物２の図２１、２３からも明らかなように互いに独立している。そして、当該互いに独立した各テーブルに基づいて行われる保留図柄の表示態様（平面表示又は立体表示）の選択と、飾り特図変動表示ゲームの表示態様（平面表示又は立体表示）の選択も「互いに独立して行われる」ものであるといえる。そして、当該「保留図柄の表示態様」を「選択」すること、「飾り特図変動表示ゲームの表示態様」を「選択」することは、それぞれ、引用発明の「保留図柄の表示態様」を「決定」すること（当該「決定」が「選択」を含むことについては上記「エ　（ｅ）」に示したとおり）、「特図変動表示ゲームの演出」を「選択」することに対応する。
　そうすると、刊行物２には「保留図柄の表示態様の選択と飾り特図変動表示ゲームの表示態様の選択とは、互いに独立して行われること」が記載されているといえる。
　また、引用発明と刊行物２に記載の事項とは、遊技機において保留図柄を表示する際に、前者では「遊技者の期待感を高めることのできる事前演出が可能となる」（刊行物１【０１６５】）ことを目的としており、後者では「特図変動表示ゲームの実行内容・・・や結果・・・に対する期待度を、当該特図変動表示ゲームの開始前に遊技者に報知する」（刊行物２【０１８５】）ことを目的としているから、両者の目的は、保留図柄の表示態様を変化させることで、飾り特図変動表示ゲームの結果への期待度を、遊技者に対して事前に示すという点で共通している。
　そして、引用発明と刊行物２に記載の事項とは、上記した共通の目的を有し、また、保留図柄の表示態様と飾り特図変動表示ゲームの表示態様を選択するという点で共通しているものであるから、引用発明におけるこれらの表示態様の選択のために、刊行物２に記載の事項を適用し、これらの表示態様の選択を「互いに独立して」行う構成として、上記相違点に係る本願補正発明の構成とすることは、当業者であれば容易になし得たことである。 
カ　請求人の主張及び本願補正発明が奏する効果について 
　請求人は本願補正発明について、請求の理由において「引用文献１は、特図変動表示ゲームの表示態様の選択と保留画像の表示態様の選択とは互いに独立して行われるものではございません」、「本願発明では、・・・大当りとなる信頼度を示唆する組合せである、予告表示の表示態様と装飾図柄が変化した表示態様との組合せを多様にすることができ、遊技者が飽きを覚えることを防止することができるとともに、表示態様および装飾図柄の表示態様に遊技者の関心を効果的に引きつけることができるという顕著な効果を奏します」と主張する。 
　しかしながら、請求人が主張する「特図変動表示ゲームの表示態様の選択と保留画像の表示態様の選択とは互いに独立して行われる」点については、刊行物２に記載の事項であって、上記オのとおり引用発明に適用することも当業者であれば容易になし得たことであることであるし、上記相違点によって本願補正発明が奏する効果も、当業者が引用発明及び刊行物２に記載の事項から予測し得る程度のものであって、格別のものではない。 
キ　まとめ 
　以上のように、本願補正発明は、当業者が引用発明及び刊行物２に記載の事項に基づいて容易に発明をすることができたものであるから、特許法第２９条第２項の規定により、特許出願の際独立して特許を受けることができない。 
３　補正却下の決定についてのむすび 
　上記２より、本件補正は、特許法第１７条の２第６項において準用する同法第１２６条第７項の規定に違反するので、同法第１５９条第１項において読み替えて準用する同法第５３条第１項の規定により却下すべきものである。 
第３　本願発明について 
１　本願発明 
　本件補正は上記のとおり却下されたので、本願の請求項１に係る発明（以下「本願発明」という。）は、平成２７年８月２４日付け手続補正書により補正された特許請求の範囲に記載された次のとおりのものである。（Ａ〜Ｇ３は本願発明を分説するため当審で付与した。）。 
「【請求項１】
Ａ　始動条件の成立により、遊技情報を取得する取得手段と、
Ｂ　前記取得手段により取得された遊技情報に基づいて、特別遊技を行うか否かを判定する特別遊技判定手段と、
Ｃ　前記特別遊技判定手段により前記特別遊技を行うと判定された場合、当該特別遊技を実行する特別遊技制御手段と、
Ｄ　演出表示手段に装飾図柄を変動表示させてから停止表示させることにより前記特別遊技判定手段による判定結果を報知する変動演出を実行する変動演出制御手段と、
Ｅ’前記取得手段により取得された前記遊技情報に基づいて、前記特別遊技制御手段により前記特別遊技が実行される可能性を示唆する予告表示を前記演出表示手段に表示する予告表示制御手段とを備え、
Ｆ’前記予告表示制御手段は、前記特別遊技が実行される可能性に対応した複数の表示態様の何れかで前記予告表示を表示し、
Ｇ　前記変動演出制御手段は、
Ｇ１’　前記取得手段により取得された前記遊技情報に基づいて、前記予告表示の複数の表示態様のうちの１つを選択する表示態様選択手段と、
Ｇ２’　前記表示態様選択手段により選択された表示態様に装飾図柄を変化させる表示態様変化手段とを有し、
Ｇ３　　前記変動演出において前記装飾図柄の表示態様を前記表示態様変化手段により変化させることにより、前記特別遊技制御手段により前記特別遊技が実行される可能性を示唆する、遊技機。」 
２　刊行物
　刊行物１及びその記載事項並びに刊行物１記載の発明（引用発明）は、上記「第２　２　（４）　イ」に記載したとおりである。 
３　対比・判断 
　本願発明は、上記「第２　２　（４）　ア」で検討した本願補正発明から、「前記第１表示態様選択手段と、前記第２表示態様選択手段とは、互いに独立してそれぞれ前記予告表示の複数の表示態様のうちの１つを選択する」という事項（Ｈ）を省くとともに、予告表示制御手段における予告表示の複数の表示態様について「第１表示態様選択手段」で選択されるという事項を省き（Ｅ’、Ｆ’）、また、「第２表示態様選択手段」を「表示態様選択手段」とした（Ｇ１’、Ｇ２’）ものである。 
　そこで、本願発明と引用発明とを対比する。対比の見出しとしての（ａ）〜（ｇ３）は引用発明の分説構成と対応させた。
（ｅ、ｆ）　上記「第２　２　（４）　エ」に示したとおり、
　引用発明の「大当り発生」は、本願発明の「前記取得手段により取得された前記遊技情報に基づいて、前記特別遊技制御手段により前記特別遊技が実行される」ことに相当し、
　引用発明の「期待度」を「報知」することは、本願発明の「特別遊技が実行される可能性を示唆する」ことに相当し、
　引用発明の「事前演出（予告報知）を行っていることを示す事前演出態様における保留図柄」は、本願発明の「予告表示」に相当し、
　引用発明の「演出制御装置３００」は、本願発明の「予告表示制御手段」の機能を備え、
　引用発明の「表示装置４１」は、本願発明の「演出表示手段」に相当し、
　引用発明の「期待度が「３Ｄ」（立体）よりも低い「２Ｄ」（平面）の表示態様と、期待度が「２Ｄ」（平面）より高い「３Ｄ」（立体）の表示態様」は、「特別遊技が実行される可能性に対応した複数の表示態様」に相当する。
　また、引用発明において「どの表示態様で表示するかを決定」し、決定された表示態様で「保留図柄を表示」することは、保留図柄を「２Ｄ」（平面）又は「３Ｄ」（立体）という複数の表示態様の何れで表示するかを決定し、当該複数の表示態様の何れかで保留図柄を表示することであるといえるから、本願発明の「複数の表示態様の何れか」で「前記予告表示を表示」することに相当する。
　したがって、引用発明において「ｅ　大当り発生の期待度を報知する事前演出（予告報知）を行っていることを示す事前演出態様における保留図柄の表示態様として、期待度が「３Ｄ」（立体）よりも低い「２Ｄ」（平面）の表示態様と、期待度が「２Ｄ」（平面）より高い「３Ｄ」（立体）の表示態様のうちのどの表示態様で表示するかを決定する演出制御装置３００と、ｆ　決定された表示態様で保留図柄を表示装置４１に表示する演出制御装置３００と」によって当該表示を行うことは、本願発明において「Ｅ’前記取得手段により取得された前記遊技情報に基づいて、前記特別遊技制御手段により前記特別遊技が実行される可能性を示唆する予告表示を前記演出表示手段に表示する予告表示制御手段」を備え「Ｆ’前記予告表示制御手段は、前記特別遊技が実行される可能性に対応した複数の表示態様の何れかで前記予告表示を表示」を行うことに相当する。
（ｇ１）　上記「第２　２　（４）　エ」に示したとおり、引用発明において「変動パターン」に基づいて「選択」を行うことは、本願発明の「前記取得手段により取得された前記遊技情報に基づいて」選択を行うことに相当し、また、引用発明は、飾り特図変動表示ゲームの演出を「３Ｄ演出」で行うか「２Ｄ演出」で行うかを「選択」することで、飾り特図変動表示ゲームにおける飾り特別図柄の表示態様を３Ｄ（立体）とするか２Ｄ（平面）とするかを選択しているといえるから、引用発明において当該３Ｄ（立体）と２Ｄ（平面）の表示態様のうちのどちらかを選択することは、本願発明の「前記予告表示の複数の表示態様のうちの１つを選択する」ことに相当する。
　したがって、引用発明の「ｇ１〜３　変動パターンが「スペシャル３リーチ」または「スペシャルリーチ４」を発生させるものであれば、対応する飾り特図変動表示ゲームが３Ｄ演出（立体画像演出）で行われ、「リーチなし」、「ノーマルリーチ」、「スペシャル１リーチ」、「スペシャル２リーチ」であれば、対応する飾り特図変動表示ゲームが２Ｄ演出（平面画像演出）で行われるように飾り特図変動表示ゲームの演出を選択」する「変動表示ゲーム表示手段」は、本願発明の「Ｇ１’　前記取得手段により取得された前記遊技情報に基づいて、前記予告表示の複数の表示態様のうちの１つを選択する表示態様選択手段」に相当する。
（ｇ２）　上記「第２　２　（４）　エ」に示したとおり、引用発明において「飾り特図変動表示ゲームの演出を選択し実行」する際の当該「選択」は、飾り特図変動表示ゲームにおける飾り特別図柄の表示態様を３Ｄ（立体）とするか２Ｄ（平面）とするかの選択であって、当該「実行」する演出では、３Ｄ（立体）又は２Ｄ（平面）の表示態様の演出パターンに飾り特別図柄を変化させていることは明らかである。
　したがって、引用発明の「飾り特図変動表示ゲームの演出」を「実行」する「変動表示ゲーム表示手段」は、本願発明の「Ｇ２’　前記表示態様選択手段により選択された表示態様に装飾図柄を変化させる表示態様変化手段」に相当する。
（ａ〜ｄ、ｇ、ｇ３）　引用発明の上記以外の構成（ａ〜ｄ、ｇ、ｇ３）は、上記「第２　２　（４）　エ」に示したとおりに対比できるから、本願発明の上記以外の構成（Ａ〜Ｄ、Ｇ、Ｇ３）と一致する。
　したがって、本願発明と引用発明を対比すると、相違する点はないから、本願発明は刊行物１に記載された発明である。
４　むすび 
　以上のとおりであるから、本願発明は、特許法第２９条第１項第３号の規定により、特許を受けることができない。
　したがって、本願は、拒絶されるべきものである。
　よって、結論のとおり審決する。